(57)【要約】【課題】折り畳み時における光学ファインダの厚さに対する影響をより低減して光学ファインダを設ける。【解決手段】折り畳み式携帯電話機１００は、第一の筐体１０Ｂと、第一の筐体１０Ｂに連結部材１０Ｃを介して回動自在に連結された第二の筐体１０Ａと、被写体を撮像する撮像手段２４と、撮像手段２４による撮像領域を定める光学ファインダ１４と、を備えている。光学ファインダ１４は、第一の筐体１０Ｂに設けられた接眼部１４ａと、第二の筐体１０Ａに設けられた対物部１４ｂと、を備え、第一の筐体１０Ｂと第二の筐体１０Ａとが接するように一方の筐体を回動させて折り畳んだ場合に、接眼部１４ａの光軸と対物部１４ｂの光軸とが一致するように構成した。【選択図】　　　　図１
2004134926.tif 000002
【特許請求の範囲】
【請求項１】
第一の筐体と、
前記第一の筐体に連結部材を介して回動自在に連結された第二の筐体と、
被写体を撮像する撮像手段と、
前記撮像手段による撮像領域を定める光学ファインダと、
を備えた折り畳み式携帯電話機であって、
前記光学ファインダは、前記第一の筐体に設けられた接眼部と、前記第二の筐体に設けられた対物部と、を備え、
前記第一の筐体と前記第二の筐体とが接するように一方の筐体を回動させて折り畳んだ場合に、前記接眼部の光軸と前記対物部の光軸とが一致するように構成したことを特徴とする折り畳み式携帯電話機。
【請求項２】
請求項１に記載の折り畳み式携帯電話機において、
バックライトを有し、ユーザに提供する情報を表示する補助表示部を備え、
前記補助表示部を、前記第一の筐体と前記第二の筐体とが接するように一方の筐体を回動させて折り畳んだ時の前記第二の筐体の外面に設けたことを特徴とする折り畳み式携帯電話機。
【発明の詳細な説明】
【０００１】
【発明の属する技術分野】
本発明は、折り畳み式携帯電話機に関する。
【０００２】
【従来の技術】
従来、ユーザが人物や景色等の被写体を撮像して、その画像を待受画面に設定したり、友人に送信したりすることができるカメラ機能付き携帯電話機が提案されている。
その一例として、ストレート式携帯電話機の筐体上部に、レンズ部と光学ファインダとを備えた撮像部を、バネを介して取り付け、この撮像部を筐体内に収納可能としたカメラ機能付き携帯電話機が提案されている（例えば、特許文献１参照。）。
【０００３】
【特許文献１】
特開平１１−２０５７６１号公報　（第４頁及び第５頁、第５図及び第６図）
【０００４】
【発明が解決しようとする課題】
ところで、近年、その使い易さとコンパクトさから回動自在に連結された二つの筐体を折り畳むことが可能な折り畳み式携帯電話機の需要が高まっており、特許文献１に記載された光学ファインダを折り畳み式携帯電話機に設けることは技術的に可能である。しかし、光学ファインダとして機能させるためには、接眼部分のレンズと対物部分のレンズとの間の距離を所定の距離以上確保する必要があるため、一方の筐体を少なくとも光学ファインダの厚さ分だけ確保しなければならず、折り畳んだ場合に光学ファインダ無しの折り畳み式携帯電話機よりも厚くなってしまう問題があった。
【０００５】
そこで、本発明の課題は、折り畳み時における光学ファインダの厚さに対する影響をより低減して光学ファインダを設けることができる折り畳み式携帯電話機を提供することである。
【０００６】
【課題を解決するための手段】
以上の課題を解決するため、請求項１に記載の発明は、第一の筐体と、前記第一の筐体に連結部材を介して回動自在に連結された第二の筐体と、被写体を撮像する撮像手段と、前記撮像手段による撮像領域を定める光学ファインダと、を備えた折り畳み式携帯電話機であって、前記光学ファインダは、前記第一の筐体に設けられた接眼部と、前記第二の筐体に設けられた対物部と、を備え、前記第一の筐体と前記第二の筐体とが接するように一方の筐体を回動させて折り畳んだ場合に、前記接眼部の光軸と前記対物部の光軸とが一致するように構成したことを特徴とする。
【０００７】
請求項１に記載の発明によれば、接眼部が設けられた第一の筐体と、対物部が設けられた第二の筐体とが接するように一方の筐体を回動させて折り畳んだ場合、接眼部と対物部とが重なり合って、両者の光軸が一致することとなる。そして、接眼部と対物部とが重なり合って光学ファインダを構成するので、光学ファインダを各筐体に分けて設けることで、一方の筐体に光学ファインダを設けた場合に比べて、二つの筐体の厚さを最大限に生かすことができる。
よって、折り畳み時の厚さを増加させることなく光学ファインダを設けたり、或いは厚さが増加してもその増加分を最小限に抑えることができることとなって、折り畳み時における厚さに対する影響をより低減して光学ファインダを設けることができる。
【０００８】
請求項２に記載の発明は、請求項１に記載の折り畳み式携帯電話機において、バックライトを有し、ユーザに提供する情報を表示する補助表示部を備え、前記補助表示部を、前記第一の筐体と前記第二の筐体とが接するように一方の筐体を回動させて折り畳んだ時の前記第二の筐体の外面に設けたことを特徴とする。
【０００９】
請求項２に記載の発明によれば、補助表示部を第一の筐体と第二の筐体とが接するように一方の筐体を回動させて折り畳んだ時の第二の筐体の外面に設けたので、開いて情報を確認するという煩わしい操作を省くことができる。また、補助表示部を第二の筐体に設けたので、ユーザが接眼部に接眼して撮像する場合に、補助表示部のバックライトの光に眩惑されることがなくなり、撮像時の操作性を向上させることができる。
【００１０】
【発明の実施の形態】
以下、図面を参照して本発明の実施の形態における折り畳み式携帯電話機（以下、携帯電話機という。）について詳細に説明する。
図１に示すように、携帯電話機１００は、第一の筐体としての蓋体１０Ｂと第二の筐体としての本体１０Ａとが折り畳み自在に連結部材としてのヒンジ部１０Ｃを介して連結されている。そして、本体１０Ａの折り畳み時に内側となる面（以後、内面とする）１０Ｄには、キー操作部１１が配されている。また、ヒンジ部１０Ｃから遠い方の端部には、被写体を撮像する際に撮像領域を定める光学ファインダ１４の対物部１４ｂ（後述する）が、本体１０Ａの折り畳み時に外側となる面（以後、外面とする）１０Ｇに向けて貫通するように設けられている。また、本体１０Ａの外面１０Ｇには、撮像部２４（後述する）の撮像レンズ１３が設けられている。
【００１１】
また、蓋体１０Ｂの内面１０Ｅには、表示部１２が設けられている。また、ヒンジ部１０Ｃから遠い方の端部には、光学ファインダ１４の接眼部１４ａ（後述する）が蓋体１０Ｂの外面１０Ｆに向けて貫通するように設けられている。また、蓋体１０Ｂの外面１０Ｆには、携帯電話機１００を折り畳んだ状態でユーザが着信等の情報を確認する補助表示部１５が設けられている。
【００１２】
また、携帯電話機１００には、伸縮自在のアンテナ１６や、図示しない充電パック等の電源部等が設けられている。
そして、これらの各構成要素は本体１０Ａの内部に収納された回路基板の電子回路に接続され、後述するＣＰＵ２１により各部の動作が制御される。
【００１３】
具体的には、携帯電話機１００は、図２に示すように、図１のキー操作部１１、表示部１２、光学ファインダ１４、補助表示部１５、アンテナ１６の他、ＣＰＵ２１、ＲＡＭ２２、ＲＯＭ２３、被写体を撮像する撮像手段としての撮像部２４、キー信号入力部２５、通信部２６等を備えて構成されている。なお、携帯電話機１００は、上記構成の他にも、携帯電話機として音声データの送受を行うための各機能、例えば、スピーカ、音声処理部等を備えているものとする。
【００１４】
キー操作部１１は、０〜９までの１０個の数字キー、＊＃等の記号キー、前後左右の４つの矢印キー、各種機能を決定する決定キー、電話機能キー、複数のファンクションキー等の各種キースイッチを備え、これらのキースイッチの押下信号は、キー信号入力部２５により、入力信号としてＣＰＵ２１に出力される。
【００１５】
表示部１２は、例えば、ＬＣＤ（Ｌｉｑｕｉｄ　Ｃｒｙｓｔａｌ　Ｄｉｓｐｌａｙ）パネル等を備えており、ＣＰＵ２１から出力される表示画面データを表示させる。また、表示部１２には、画面の背後から投光するバックライトが備えられている。バックライトは、例えば、有機ＥＬ（Ｅｌｅｃｔｒｏ　Ｌｕｍｉｎｅｓｃｅｎｃｅ）パネル等を備えており、ＣＰＵ２１から出力されるＯＮ／ＯＦＦ信号に基づいて点灯／消灯が行われる。
【００１６】
光学ファインダ１４は、被写体を撮像する際に、撮像領域を定めるためにユーザが覗く窓部であり、蓋体１０Ｂの内面１０Ｅから外面１０Ｆに向けて貫通するように設けられた接眼部１４ａと、本体１０Ａの内面１０Ｄから外面１０Ｇに向けて貫通するように設けられた対物部１４ｂと、を備えている。ここで、接眼部１４ａと対物部１４ｂは、本体１０Ａの内面１０Ｄと蓋体１０Ｂの内面１０Ｅとが接するように蓋体１０Ｂを回動させて折り畳んだ場合、互いの内面が重なり合って光軸が一致するように設けられており、折り畳んだ状態で光学ファインダ１４として機能する。
【００１７】
接眼部１４ａは、図３に示すように、接眼レンズ１４ｃ、光学ファインダ１４の使用の有無を検知する接眼検知部３０等を備えている。
接眼レンズ１４ｃは、対物部１４ｂから接眼部１４ａ内に取り込んだ光を屈折させて、ユーザの眼Ｅに像を形成する凸レンズから形成されている。
接眼検知部３０は、接眼部１４ａへのユーザの接眼を検知する、即ち、ユーザが光学ファインダ１４を使用しているかどうかを検知するものであり、一対の発光素子３１と受光素子３２とを備えている。そして、発光素子３１の出力するパルス光がユーザの眼Ｅで反射され、受光素子３２で受光されているときにのみ、ハイレベルの検知信号を出力するものとされている。なお、具体的な回路構成については、公知であるため、説明を省略する。
【００１８】
対物部１４ｂは、対物レンズ１４ｄ等を備えている。
対物レンズ１４ｄは、対物部１４ｂに光を取り込んで屈折させ、接眼部１４ａに光を導く凹レンズから形成されている。
【００１９】
補助表示部１５は、表示部１２と同様、例えば、ＬＣＤ（Ｌｉｑｕｉｄ　Ｃｒｙｓｔａｌ　Ｄｉｓｐｌａｙ）パネル等を備えており、ＣＰＵ２１から出力される表示画面データを表示させる。また、補助表示部１５には、画面の背後から投光するバックライトが備えられている。バックライトは、例えば、有機ＥＬ（Ｅｌｅｃｔｒｏ　Ｌｕｍｉｎｅｓｃｅｎｃｅ）パネル等を備えており、ＣＰＵ２１から出力されるＯＮ／ＯＦＦ信号に基づいて点灯／消灯が行われる。
【００２０】
アンテナ１６は、例えば、逆Ｆアンテナやホイップアンテナ等であり、図示しない無線基地局から送信された無線信号を受信するとともに、通信部２６から出力される信号を無線基地局に向けて発信する。
【００２１】
ＣＰＵ（Ｃｅｎｔｒａｌ　Ｐｒｏｃｅｓｓｉｎｇ　Ｕｎｉｔ）２１は、ＲＯＭ２３に記憶されているシステムプログラム及び携帯電話機１００の各機能に対応する各種アプリケーションプログラムの中から指定されたアプリケーションプログラムをＲＡＭ２２に展開し、キー入力部１１のキー操作によりキー信号入力部２５から入力される各種指示或いはそれに応じた各種データをＲＡＭ２２に一時格納し、この入力指示及び入力データに応じてアプリケーションプログラムに従って各種処理を実行し、その処理結果をＲＡＭ２２に格納する。
【００２２】
ＣＰＵ２１は、撮像部２４を制御して、撮像レンズ１３の前方の撮像対象範囲の撮影を実行させ、撮像画像の画像データを取り込む。
また、ＣＰＵ２１は、撮像部２４により生成された画像データをＪＰＥＧ（Ｊｏｉｎｔ　Ｐｈｏｔｏｇｒａｐｈｉｃ　Ｅｘｐｅｒｔ　Ｇｒｏｕｐ）、ＰＮＧ（Ｐｏｒｔａｂｌｅ　Ｎｅｔｗｏｒｋ　Ｇｒａｐｈｉｃｓ）等の画像圧縮方式でＲＡＭ２２に格納し、保存前の画像であるプレビュー画像、或いは撮像画像、保存画像等を、表示部１２に出力し、表示させる。
【００２３】
また、ＣＰＵ２１は、接眼検知部３０がユーザの接眼を検知した場合にバックライトを消灯させ、バックライトを消灯させた後に、接眼検知部３０がユーザの接眼を検知しなくなった場合に、バックライトを点灯させる機能を有している。また、ＣＰＵ２１は、電話をする電話モードと被写体を撮像する撮像モードとのうち、一方のモードの使用時に、他方のモードの操作を無効にする機能を有している。
【００２４】
ＲＡＭ（Ｒａｎｄｏｍ　Ａｃｃｅｓｓ　Ｍｅｍｏｒｙ）２２は、ＣＰＵ２１により実行されるアプリケーションプログラム、撮像画像取得処理プログラム、撮像画像処理プログラム、入力指示、入力データ及び処理結果等を格納及び展開するワークメモリエリアを有する。
【００２５】
ＲＯＭ（Ｒｅａｄ　Ｏｎｌｙ　Ｍｅｍｏｒｙ）２３は、フラッシュメモリ等により構成され、システムプログラム、及び当該システムに対応する各種アプリケーションプログラム等の各種動作プログラム、画像取得プログラム、ＪＰＥＧ及びＰＮＧ等の画像圧縮プログラム、画像処理プログラム、及びこれらのプログラムに係るデータ等を記憶する。
【００２６】
撮像部２４は、撮像手段として、図１に示す撮像レンズ１３、図示しないＣＣＤ（Ｃｈａｒｇｅ　Ｃｏｕｐｌｅｄ　Ｄｅｖｉｃｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）等の撮像素子等を備え、ＣＰＵ２１の制御に従って撮像レンズ１３前方の撮像対象範囲を撮影する。より詳細には、撮像レンズ１３から入力される画像をＣＭＯＳ等により電気信号に変換し、図示しないＡ／Ｄ変換回路等でデジタル信号としての画像データを生成して、この画像データをＣＰＵ２１に出力する。
【００２７】
キー信号入力部２５は、キー操作部１１に接続され、キー操作部１１における各種キーの押下に応じて入力信号を生成し、ＣＰＵ２１に出力する。
【００２８】
通信部２６は、モデム（ＭＯＤＥＭ：ＭＯｄｕｌａｔｏｒ／ＤＥＭｏｄｕｌａｔｏｒ）、及びＲＦ（Ｒａｄｉｏ　Ｆｒｅｑｕｅｎｃｙ）回路等を備え、図１に示すアンテナ１６に接続されている。そして、通信部２６は、他の端末等へのデータ（例えば、音声データ、画像データ等）の送信時に、ＣＰＵ２１よりＲＡＭ２２に読み出された信号をモデムにより変調し、変調された信号をＲＦ部で周波数変換し増幅する。また、他の端末からのデータ（例えば、音声データ、画像データ、テキストデータ等）受信時には、アンテナ１６により受信した信号をＲＦ回路で増幅して周波数変換し、周波数変換さ
れた信号をモデムにより復調する。
なお、データ（例えば、音声データ、画像データ、テキストデータ等）の送受信の際には、図示しない無線基地局との間で、例えば、Ｗ−ＣＤＭＡ方式等の携帯電話機方式に対応する通信プロトコルを実行する。
【００２９】
次に、上記のように構成された携帯電話機１００における動作について、図４のフローチャートに沿って説明する。
被写体を撮像するときには、ユーザは、まず、携帯電話機１００を折り畳み、接眼部１４ａの光軸と対物部１４ｂの光軸とを一致させて、光学ファインダ１４を形成する。次いで、ユーザは、接眼部１４ａに接眼して内部を覗きこみ、撮像領域を定める。このとき、接眼検知部３０は、発光素子３１を発光させ、その光をユーザの眼Ｅに当てて反射させ、反射光を受光素子３２にて受光する。ここで、発光素子３１の発光パルスと受光素子３２の受光パルスとを比較し、パルスが一致しているかどうかでユーザが接眼部１４ａに接眼しているかを判断する（ステップＳ１）。
【００３０】
ステップＳ２において、ＣＰＵ２１は、接眼検知部３０からの検知信号を入力すると、ユーザが接眼部１４ａに接眼していると判断する（ステップＳ１；ＹＥＳ）。そして、ＣＰＵ２１は補助表示部１５のバックライト（以下、バックライトという。）が点灯しているかを判断し（ステップ２）、バックライトが点灯していると（ステップＳ２；ＹＥＳ）、ＣＰＵ２１はバックライトを消灯させる（ステップＳ３）。一方、ＣＰＵ２１は、接眼検知部３０からの検知信号が入力されないと、ユーザが接眼部１４ａに接眼していないと判断し（ステップＳ１；ＮＯ）、ステップＳ１に戻り、ユーザが接眼部１４ａに接眼しているかどうかを判断する。
また、ステップＳ２において、ＣＰＵ２１は、ユーザが接眼部１４ａに接眼していると判断した場合に、バックライトが既に消灯していると（ステップＳ２；ＮＯ）、ステップＳ１に戻り、ユーザが接眼部１４ａに接眼しているかどうかを判断する。
【００３１】
ＣＰＵ２１は、バックライトを消灯させた後、ユーザが接眼部１４ａに接眼しているかを判断する（ステップＳ４）。
ステップＳ５において、ユーザが接眼部１４ａに接眼していれば（ステップＳ４；ＹＥＳ）、ステップＳ４に戻り、ユーザが接眼部１４ａに接眼しているかどうかを判断する。一方、ユーザが接眼部１４ａに接眼していなければ（ステップＳ４；ＮＯ）、ＣＰＵ２１はバックライトを再点灯させる（ステップＳ５）。
【００３２】
なお、上記の動作中においては、切替部（図示しない）によって、電話モードに切り替えない限り、ＣＰＵ２１によって、キー入力は全て無効となるように制御される。
以下、上記のステップＳ１〜ステップＳ５を、繰り返すことにより、ユーザは好きなときに被写体を撮像することができる。
【００３３】
本実施の形態の携帯電話機１００によれば、接眼部１４ａが設けられた蓋体１０Ｂと、対物部１４ｂが設けられた本体１０Ａとが接するように一方の筐体を回動させて折り畳んだ場合、接眼部１４ａと対物部１４ｂとが重なり合って、両者の光軸が一致することとなる。そして、接眼部１４ａと対物部１４ｂとが重なり合って光学ファインダ１４を構成するので、光学ファインダ１４を各筐体に分けて設けることで、一方の筐体に光学ファインダ１４を設けた場合に比べて、二つの筐体の厚さを最大限に生かすことができる。
よって、折り畳み時の厚さを増加させることなく光学ファインダ１４を設けたり、或いは厚さが増加してもその増加分を最小限に抑えることができることとなって、折り畳み時における厚さに対する影響をより低減して光学ファインダ１４を設けることができる。
【００３４】
また、補助表示部１５を本体１０Ａと蓋体１０Ｂとが接するように一方の筐体を回動させて折り畳んだ時の蓋体１０Ｂの外面に設けたので、着信履歴等の情報を開いて確認するという煩わしい操作を省くことができる。また、接眼部１４ａと補助表示部１５とを別の面に設けることにより、ユーザが接眼部１４ａに接眼して撮像する場合に、補助表示部１５のバックライトの光に眩惑されることがなくなり、撮像時の操作性を向上させることができる。
【００３５】
また、ユーザが接眼部１４ａを使用していることを接眼検知部３０が検知したときには、ＣＰＵ２１によって補助表示部１５のバックライトを消灯させることができる。一方、バックライトの消灯後に、ユーザが接眼部１４ａを使用していないことを接眼検知部３０が検知したときには、ＣＰＵ２１によって補助表示部１５のバックライトを点灯させることができる。よって、ユーザは撮像時に補助表示部１５のバックライトの光に眩惑されることがなくなり、撮像をやめたユーザが他の操作をするときには、バックライトは点灯しているため、暗い場所でも操作が行いやすくなる。
【００３６】
さらに、ＣＰＵ２１が、一方のモードの使用時に、他方のモードの操作を無効にするので、撮像中は電話やメールの着信によって妨害されることがなく、また、電話やメール中に誤った入力操作をしてもその操作は反映されないので、操作性を向上させることができる。
【００３７】
なお、本発明は、上記実施の形態に限定されるものではない。接眼部１４ａ及び対物部１４ｂを設ける場所は、携帯電話機１００を折り畳んだときに両者が重なり合って光軸が一致するような場所であればどこでもよく、例えば、ヒンジ部１０Ｃの近傍でもよい。また、図５に示すように、接眼部１４ａを本体１０Ａに設け、対物部１４ｂと撮像レンズ１３と補助表示部１５とを蓋体１０Ｂに設けてもよい。これにより、ユーザは撮像時に補助表示部１５のバックライトに眩惑されることがなくなり、撮像時の操作性を向上させることができる。
また、接眼レンズ１４ｃを凸レンズ、対物レンズ１４ｄを凹レンズで形成したが、これらのレンズの間に他のレンズを設けてもよい。
また、切替部によって、電話モードを撮像モードに切り替えたときにバックライトを消灯させるようにすることで、ユーザは撮像時に補助表示部１５のバックライトの光に眩惑されることがなくなるほか、ユーザの意思でバックライトの点灯及び消灯を簡単に制御することができる。その他、本発明は、発明の要旨を逸脱しない範囲内で自由に変更、改良が可能である。
【００３８】
【発明の効果】
請求項１に記載の発明によれば、光学ファインダを各筐体に分けて設けることで、一方の筐体に光学ファインダを設けた場合に比べて、二つの筐体の厚さを最大限に生かすことができる。
よって、折り畳み時における厚さに対する影響をより低減して光学ファインダを設けることができる。
【００３９】
請求項２に記載の発明によれば、補助表示部を第一の筐体と第二の筐体とが接するように一方の筐体を回動させて折り畳んだ時の第二の筐体の外面に設けたので、開いて情報を確認するという煩わしい操作を省くことができる。また、補助表示部を第二の筐体に設けたので、ユーザが接眼部に接眼して撮像する場合に、補助表示部のバックライトの光に眩惑されることがなくなり、撮像時の操作性を向上させることができる。
【図面の簡単な説明】
【図１】本発明の実施の形態における携帯電話機の概略を示す斜視図である。
【図２】上記実施の形態における携帯電話機の内部構造を説明するブロック図である。
【図３】上記実施の形態における携帯電話機の接眼部を示す側断面図及び正面図である。
【図４】上記実施の形態における携帯電話機の補助表示部のバックライトの消灯及び点灯の動作を示すフローチャートである。
【図５】上記実施の形態における他の例の携帯電話機の概略を示す斜視図である。
【符号の説明】
１０Ａ　　本体（第二の筐体）
１０Ｂ　　蓋体（第一の筐体）
１０Ｃ　　ヒンジ部（連結部材）
１４　　　光学ファインダ
１４ａ　　接眼部
１４ｂ　　対物部
１５　　　補助表示部
２４　　　撮像部（撮像手段）
１００　　折り畳み式携帯電話機
【図１】
2004134926.tif 000003
【図２】
2004134926.tif 000004
【図３】
2004134926.tif 000005
【図４】
2004134926.tif 000006
【図５】
2004134926.tif 000007